(57)【特許請求の範囲】
【請求項１】
３以上の複数チャネルの信号系にそれぞれ設けられた複数のゲイン可変アンプと、
この複数のゲイン可変アンプの入力側にそれぞれ等しいレベルのパイロット信号を入力するパイロット信号入力手段と、
上記複数のゲイン可変アンプの出力側でそれぞれ上記パイロット信号を検出するパイロット信号検出手段と、
このパイロット信号検出手段で検出される上記複数のゲイン可変アンプを介された複数のパイロット信号のレベルを比較するレベル比較手段と、
上記レベル比較手段の出力を上記パイロット信号の存在する所定期間だけ導通させて保持する保持手段と、
上記複数のパイロット信号のレベルが等しくなるように上記保持手段の出力に応じて上記複数チャネルの信号系のうちのいずれか一つのチャネル信号系を基準として上記複数のゲイン可変アンプのゲインを制御するゲイン制御手段と
を備えることを特徴とするアンプ装置。
【請求項２】
上記複数チャネルの信号系は、赤原色信号、緑原色信号および青原色信号からなる３チャネルの信号系である
ことを特徴とする請求項１に記載のアンプ装置。
【発明の詳細な説明】
【０００１】
【産業上の利用分野】
この発明は、例えば３板式カラービデオカメラの信号処理系のＡＧＣアンプ等に使用して好適なアンプ装置に関する。
【０００２】
【従来の技術】
図４は、３板式カラービデオカメラの信号処理系を示している。図において、赤色画像用、緑色画像用、青色画像用のＣＣＤ個体撮像素子（図示せず）より得られる赤原色信号Ｒ、緑原色信号Ｇ、青原色信号Ｂは、それぞれＡＧＣアンプ１Ｒ，１Ｇ，１Ｂ、ホワイトバランスコントロールアンプ２Ｒ，２Ｇ，２Ｂ、ガンマ補正回路３Ｒ，３Ｇ，３Ｂを介してマトリックス回路４に供給される。そして、マトリックス回路４では色信号Ｒ，Ｇ，Ｂがマトリックス処理され、輝度信号Ｙ、赤色差信号Ｒ−Ｙおよび青色差信号Ｂ−Ｙが出力される。
【０００３】
また、ホワイトバランスコントロール回路２Ｒ，２Ｇ，２Ｂの出力信号がレベル検出回路５に供給される。このレベル検出回路５からは被写体の明るさ（信号レベル）に応じたゲイン制御信号ＧＣが出力されてＡＧＣアンプ１Ｒ，１Ｇ，１Ｂに供給され、これらＡＧＣアンプ１Ｒ，１Ｇ，１Ｂのゲインがゲイン制御信号ＧＣで制御される。これにより、ＡＧＣアンプ１Ｒ，１Ｇ，１Ｂの出力信号レベルが被写体の明るさに拘らずほぼ一定とされる。
【０００４】
【発明が解決しようとする課題】
上述した３板式カラービデオカメラの信号処理系のＡＧＣアンプ１Ｒ，１Ｇ，１Ｂは、当然どのようなゲインに制御される場合であっても全てのゲインが等しくなければならない。
【０００５】
そこで従来、ＡＧＣアンプ１Ｒ，１Ｇ，１Ｂ毎にゲインのばらつきをキャンセルできるようにゲイン制御信号ＧＣを補正することが行われている。また、ＡＧＣアンプのＩＣ設計段階でゲインの差が極力少なくなるような設計を行うと共に、ＡＧＣアンプ１Ｒ，１Ｇ，１Ｂとしてゲインのばらつきの少ないものを選別して使用することが行われている。さらに、ＡＧＣアンプ１Ｒ，１Ｇ，１Ｂの連続したゲイン可変を諦め、数点のゲインのみを使用し、それぞれの点でＡＧＣアンプ１Ｒ，１Ｇ，１Ｂのゲインの差がなくなるように回路を調整することが行われている。
【０００６】
しかし、ＡＧＣアンプ１Ｒ，１Ｇ，１Ｂ毎にゲイン制御信号ＧＣを補正して対応するものによれば、補正係数を計測して求めなければならず、また補正回路のハード的負担も大きくなる。また、ＡＧＣアンプのＩＣ設計等で対応するものによれば、ＩＣ設計が容易でなく、ＩＣプロセスによっては不可能な場合があり、また選別して使用することでコストアップを招く。さらに、数点のゲインのみを使用することで対応するものによれば、連続したゲインの可変ができないので、コンスーマーカラービデオカメラのＡＧＣアンプとしては使用できない。
【０００７】
そこで、この発明では、ゲインの連続可変が可能であり、各アンプのＩＣ設計が容易であり、さらにゲイン制御信号の補正回路が不要であって、各アンプのゲインを確実に等しくし得るアンプ装置を提供するものである。
【０００８】
【課題を解決するための手段】
請求項１の発明に係るアンプ装置は、３以上の複数チャネルの信号系にそれぞれ設けられた複数のゲイン可変アンプと、この複数のゲイン可変アンプの入力側にそれぞれ等しいレベルのパイロット信号を入力するパイロット信号入力手段と、複数のゲイン可変アンプの出力側でそれぞれパイロット信号を検出するパイロット信号検出手段と、このパイロット信号検出手段で検出される複数のゲイン可変アンプを介された複数のパイロット信号のレベルを比較するレベル比較手段と、レベル比較手段の出力をパイロット信号の存在する所定期間だけ導通させて保持する保持手段と、複数のパイロット信号のレベルが等しくなるように保持手段の出力に応じて複数チャネルの信号系のうちのいずれか一つのチャネル信号系を基準として複数のゲイン可変アンプのゲインを制御するゲイン制御手段とを備えるものである。
【０００９】
【作用】
請求項１の発明においては、３以上の複数チャネルの信号系にそれぞれ設けられた複数チャネルのゲイン可変アンプの入力側にそれぞれ等しいレベルのパイロット信号が入力され、この複数のゲイン可変アンプの出力側でそれぞれパイロット信号が検出され、検出される複数のゲイン可変アンプを介された複数のパイロット信号のレベルがレベル比較手段により比較され、このレベル比較手段の出力がパイロット信号の存在する所定期間だけ導通させて保持され、複数のパイロット信号のレベルが等しくなるように保持手段の出力に応じて複数チャネルの信号系のうちのいずれか一つのチャネル信号系を基準として複数のゲイン可変アンプのゲインが制御されるため、複数チャネルのゲイン可変アンプのゲインは自動的に等しくされる。
【００１０】
これにより、アンプ毎にゲイン制御信号を補正してゲインのばらつきをキャンセルする必要がなく、補正回路のハードの負担が大きくなるということを回避し得る。また、アンプ毎にゲイン制御信号を補正する必要がなく、各アンプを通じて１つのゲイン制御信号を使用でき、単一チャネルのゲイン可変アンプの使用と同じ条件で複数チャネルのゲイン可変アンプを取り扱うことが可能となる。
【００１１】
また、複数チャネルのゲイン可変アンプのゲインが制御されて自動的に等しくされるため、ゲイン可変アンプをＩＣ化する際に特に厳しい動作を要求する回路が不要となり、ＩＣ化が容易となる。また、ゲインのマッチングのために、ＩＣの歩留まりが落ちるということも回避し得る。
【００１２】
また、複数チャネルのゲイン可変アンプのゲインが等しいということを維持しながら、そのゲインを連続的に可変できるため、例えばコンスーマーカラービデオカメラのＡＧＣアンプとして良好に使用し得る。
【００１３】
【実施例】
以下、図面を参照しながら、この発明の一実施例について説明する。本例は３板式カラービデオカメラの信号処理系のＡＧＣアンプに適用したものである。図１は実施例の原理構成を示したものであり、図４と対応する部分には同一符号を付して示している。
【００１４】
図において、赤色画像用、緑色画像用、青色画像用のＣＣＤ個体撮像素子（図示せず）より得られる赤原色信号Ｒ、緑原色信号Ｇ、青原色信号Ｂは、それぞれパイロット信号入力手段を構成する切換スイッチ１１Ｒ，１１Ｇ，１１Ｂのｂ側の固定端子に供給される。これら切換スイッチ１１Ｒ，１１Ｇ，１１Ｂの切り換えはシステムコントローラ（図示せず）によって制御され、水平や垂直のブランキング期間はａ側に接続され、その他の期間はｂ側に接続される。そして、切換スイッチ１１Ｒ，１１Ｇ，１１Ｂがａ側に接続されている期間内に、この切換スイッチ１１Ｒ，１１Ｇ，１１Ｂのａ側の固定端子に所定レベルのパイロット信号ＰＬが供給される。
【００１５】
切換スイッチ１１Ｒ，１１Ｇ，１１Ｂの出力信号は、それぞれＡＧＣアンプ１Ｒ，１Ｇ，１Ｂの入力側に供給される。ＡＧＣアンプ１Ｇにはレベル検出回路５（図４参照）よりゲイン制御信号ＧＣが供給される。ＡＧＣアンプ１Ｒ，１Ｇ，１Ｂの出力信号は、それぞれホワイトバランスコントロールアンプ２Ｒ，２Ｇ，２Ｂ（図４参照）に供給されると共に、パイロット信号検出回路１２Ｒ，１２Ｇ，１２Ｂに供給される。このパイロット信号検出回路１２Ｒ，１２Ｇ，１２Ｂでは、それぞれＡＧＣアンプ１Ｒ，１Ｇ，１Ｂを介されたパイロット信号ＰＬのレベルが検出される。
【００１６】
パイロット信号検出回路１２Ｒ，１２Ｇの検出信号はそれぞれコンパレータ１３Ｒに供給され、このコンパレータ１３Ｒより出力される比較誤差信号はＡＧＣアンプ１Ｒにゲイン制御信号として供給される。この場合、パイロット信号検出回路１２Ｒ，１２Ｇでそれぞれ検出されるＡＧＣアンプ１Ｒ，１Ｇを介されたパイロット信号ＰＬのレベルが等しくなるようにＡＧＣアンプ１Ｒのゲインが制御される。従って、ＡＧＣアンプ１Ｒのゲインはゲイン制御信号ＧＣで制御されるＡＧＣアンプ１Ｇのゲインと等しくなるように制御される。
【００１７】
また、パイロット信号検出回路１２Ｇ，１２Ｂの検出信号はそれぞれコンパレータ１３Ｂに供給され、このコンパレータ１３Ｂより出力される比較誤差信号はＡＧＣアンプ１Ｂにゲイン制御信号として供給される。この場合、パイロット信号検出回路１２Ｇ，１２Ｂでそれぞれ検出されるＡＧＣアンプ１Ｇ，１Ｂを介されたパイロット信号ＰＬのレベルが等しくなるようにＡＧＣアンプ１Ｂのゲインが制御される。従って、ＡＧＣアンプ１Ｂのゲインはゲイン制御信号ＧＣで制御されるＡＧＣアンプ１Ｇのゲインと等しくなるように制御される。
【００１８】
このように本例においては、ＡＧＣアンプ１Ｒ，１Ｇ，１Ｂのゲインが自動的に等しくされるものであり、アンプ毎にゲイン制御信号を補正してゲインのばらつきをキャンセルする必要がなく、補正回路のハードの負担が大きくなるということを回避できる。また、アンプ毎にゲイン制御信号を補正する必要がなく、各アンプを通じて１つのゲイン制御信号ＧＣを使用でき、単一チャネルのゲイン可変アンプの使用と同じ条件でＡＧＣアンプ１Ｒ，１Ｇ，１Ｂを取り扱うことができる。
【００１９】
また、ＡＧＣアンプ１Ｒ，１Ｇ，１Ｂのゲインが制御されて自動的に等しくされるため、ＡＧＣアンプ１Ｒ，１Ｇ，１ＢをＩＣ化する際に特に厳しい動作を要求する回路が不要となり、ＩＣ化を容易に行うことができる。また、ゲインのマッチングのために、ＩＣの歩留まりが落ちるということも回避できる。また、ＡＧＣアンプ１Ｒ，１Ｇ，１Ｂのゲインを連続的に可変できるため、例えばコンスーマーカラービデオカメラのＡＧＣアンプとして良好に使用できる。
【００２０】
図２は実施例の具体的構成を示したものであり、図１と対応する部分には同一符号を付して示している。
【００２１】
図において、赤色画像用、緑色画像用、青色画像用のＣＣＤ個体撮像素子（図示せず）より得られる赤原色信号Ｒ、緑原色信号Ｇ、青原色信号Ｂは、それぞれパイロット信号入力手段を構成する切換スイッチ１１Ｒ，１１Ｇ，１１Ｂのｂ側の固定端子に供給される。切換スイッチ１１Ｒ，１１Ｇ，１１Ｂのａ側の固定端子は切換スイッチ２１の可動端子に接続される。この切換スイッチ２１のｂ側の固定端子には基準電圧Ｖrefが供給され、そのａ側の固定端子には基準電圧Ｖrefより電圧Ｖpltだけ低下した電圧（Ｖref−Ｖplt）が供給される。
【００２２】
切換スイッチ１１Ｒ，１１Ｇ，１１Ｂにはシステムコントローラ（図示せず）より水平ブランキング期間内の所定期間Ｔaだけローレベル「Ｌ」となる切換制御パルスＰＬＴＧ（図３Ｂに図示）が供給され、切換スイッチ１１Ｒ，１１Ｇ，１１Ｂは所定期間Ｔaはａ側に接続され、その他の期間はｂ側に接続される。また、切換スイッチ２１にはシステムコントローラより上述した所定期間Ｔa内の一定期間Ｔbだけローレベル「Ｌ」となる切換制御パルスＰＬＴＰ（図３Ｃに図示）が供給され、切換スイッチ２１は一定期間Ｔbはａ側に接続され、その他の期間はｂ側に接続される。なお、図３Ａは色信号Ｒ，Ｇ，Ｂを示している。
【００２３】
上述したように水平ブランキング期間内の所定期間Ｔaで切換スイッチ１１Ｒ，１１Ｇ，１１Ｂがａ側に接続されると共に、その所定期間Ｔa内の一定期間Ｔbで切換スイッチ２１がａ側に接続されることから、所定期間Ｔa以外の期間では切換スイッチ１１Ｒ，１１Ｇ，１１Ｂのｂ側を介してＡＧＣアンプ１Ｒ，１Ｇ，１Ｂにはそれぞれ色信号Ｒ，Ｇ，Ｂが供給され、また所定期間Ｔa内であって一定期間Ｔb以外の期間では切換スイッチ２１のｂ側および切換スイッチ１１Ｒ，１１Ｇ，１１Ｂのａ側を介してＡＧＣアンプ１Ｒ，１Ｇ，１Ｂには基準電圧Ｖrefが供給され、さらに一定期間Ｔbでは切換スイッチ２１のａ側および切換スイッチ１１Ｒ，１１Ｇ，１１Ｂのａ側を介して（Ｖref−Ｖplt）の電圧がパイロット信号ＰＬとしてＡＧＣアンプ１Ｒ，１Ｇ，１Ｂに供給される。
【００２４】
ＡＧＣアンプ１Ｒ，１Ｇ，１Ｂにはレベル検出回路５（図４参照）よりゲイン制御信号ＧＣが供給される。この場合、ＡＧＣアンプ１Ｇのゲインはゲイン制御信号ＧＣによってのみ制御されるが、ＡＧＣアンプ１Ｒ，１Ｂに関しては、ゲイン制御信号ＧＣは粗調整用信号として用いられる。ＡＧＣアンプ１Ｒ，１Ｇ，１Ｂの出力信号は、それぞれホワイトバランスコントロールアンプ２Ｒ，２Ｇ，２Ｂ（図４参照）に供給される。
【００２５】
また、ＡＧＣアンプ１Ｒ，１Ｂの出力信号はそれぞれＤＣ（直流）シフト回路２２Ｒ，２２Ｂを介してコンパレータ２３Ｒ，２３Ｂの負側端子に供給され、ＡＧＣアンプ１Ｇの出力信号はコンパレータ２３Ｒ，２３Ｂの正側端子に供給される。コンパレータ２３Ｒ，２３Ｂより出力される比較誤差信号はそれぞれ接続スイッチ２４Ｒ，２４Ｂを介して電圧保持用のコンデンサ２５Ｒ，２５Ｂに供給される。そして、コンデンサ２５Ｒ，２５Ｂで保持された信号がＤＣシフト回路２２Ｒ，２２Ｂにシフト電圧として供給される。
【００２６】
接続スイッチ２４Ｒ，２４Ｂには所定期間Ｔa内で一定期間Ｔb以外の期間内の所定期間Ｔcでローレベル「Ｌ」となる接続制御パルスＰＬＴＢが供給され、接続スイッチ２４Ｒ，２４Ｂは所定期間Ｔcはオンとされ、その他の期間はオフとされる。そのため、基準電圧Ｖrefの入力に対応したＡＧＣアンプ１Ｒ，１Ｇの出力信号の比較誤差信号がコンパレータ２３Ｒよりコンデンサ２５Ｒに供給されて保持され、この保持された比較誤差信号分だけＤＣシフト回路２２ＲでＡＧＣアンプ１Ｒの出力信号がＤＣシフトされる。これにより、ＤＣシフト回路２２Ｒでは、ＡＧＣアンプ１Ｒ，１Ｇの出力信号の基準電圧Ｖrefの入力に対応した部分のレベルが一致するようにＡＧＣアンプ１Ｒの出力信号のＤＣシフトが行われる。
【００２７】
また、基準電圧Ｖrefの入力に対応したＡＧＣアンプ１Ｇ，１Ｂの出力信号の比較誤差信号がコンパレータ２３Ｂよりコンデンサ２５Ｂに供給されて保持され、この保持された比較誤差信号分だけＤＣシフト回路２２ＢでＡＧＣアンプ１Ｂの出力信号がＤＣシフトされる。これにより、ＤＣシフト回路２２Ｂでは、ＡＧＣアンプ１Ｇ，１Ｂの出力信号の基準電圧Ｖrefの入力に対応した部分のレベルが一致するようにＡＧＣアンプ１Ｂの出力信号のＤＣシフトが行われる。
【００２８】
このようにしてＡＧＣアンプ１Ｒ，１Ｇ，１Ｂの出力信号の基準電圧Ｖrefの入力に対応した部分のレベルを一致させることで、後述するようにＡＧＣアンプ１Ｒ，１Ｇ，１Ｂをそれぞれ介したパイロット信号ＰＬのレベルを精度よく比較することが可能となる。
【００２９】
また、ＤＣシフト回路２２Ｒ，２２ＢでＤＣシフトされたＡＧＣアンプ１Ｒ，１Ｂの出力信号はそれぞれコンパレータ２６Ｒ，２６Ｂの負側端子に供給され、ＡＧＣアンプ１Ｇの出力信号はコンパレータ２６Ｒ，２６Ｂの正側端子に供給される。コンパレータ２６Ｒ，２６Ｂより出力される比較誤差信号はそれぞれ接続スイッチ２７Ｒ，２７Ｂを介して電圧保持用のコンデンサ２８Ｒ，２８Ｂに供給される。そして、コンデンサ２８Ｒ，２８Ｂで保持された信号がそれぞれバッファ２９Ｒ，２９Ｂを介してＡＧＣアンプ１Ｒ，１Ｂに微調整用のゲイン制御信号として供給される。
【００３０】
接続スイッチ２７Ｒ，２７Ｂには、ＡＧＣアンプ１Ｒ，１Ｇ，１Ｂに（Ｖref−Ｖplt）の電圧がパイロット信号ＰＬとして供給される一定期間Ｔb内の所定期間Ｔdにローレベル「Ｌ」となる接続制御パルスＰＬＴＴが供給され、接続スイッチ２７Ｒ，２７Ｂは所定期間Ｔdはオンとされ、その他の期間はオフとされる。そのため、パイロット信号ＰＬの入力に対応したＡＧＣアンプ１Ｒ，１Ｇの出力信号の比較誤差信号、従ってＡＧＣアンプ１Ｒ，１Ｇを介されたパイロット信号ＰＬのレベル差信号がコンパレータ２６Ｒよりコンデンサ２８Ｒに供給されて保持され、この保持された信号によってＡＧＣアンプ１Ｒのゲインが微調整される。この場合、コンデンサ２８Ｒに保持される比較誤差信号がゼロとなるように、従ってＡＧＣアンプ１Ｒ，１Ｇを介されたパイロット信号ＰＬのレベルが等しくなるようにＡＧＣアンプ１Ｒのゲインが微調整される。
【００３１】
また、パイロット信号ＰＬの入力に対応したＡＧＣアンプ１Ｇ，１Ｂの出力信号の比較誤差信号、従ってＡＧＣアンプ１Ｇ，１Ｂを介されたパイロット信号ＰＬのレベル差信号がコンパレータ２６Ｂよりコンデンサ２８Ｂに供給されて保持され、この保持された信号によってＡＧＣアンプ１Ｂのゲインが微調整される。この場合、コンデンサ２８Ｂに保持される比較誤差信号がゼロとなるように、従ってＡＧＣアンプ１Ｇ，１Ｂを介されたパイロット信号ＰＬのレベルが等しくなるようにＡＧＣアンプ１Ｂのゲインが微調整される。
【００３２】
このように図２の具体的構成例においても、上述した図１の原理構成例で説明したと同様に、ＡＧＣアンプ１Ｒ，１Ｇ，１Ｂのゲインが自動的に等しくされるめ、図１の原理構成例で説明したと同様の作用効果を得ることができる。また、本例においては、ＤＣシフト回路２２Ｒ，２２ＢによってＡＧＣアンプ１Ｒ，１Ｇ，１Ｂの出力信号の基準電圧Ｖrefの入力に対応した部分のレベルが一致するようにＤＣシフト処理された後に、それぞれのパイロット信号ＰＬに対応した部分のレベルがコンパレータ２６Ｒ，２６Ｂで比較されてＡＧＣアンプ１Ｒ，１Ｂのゲインが微調整されるので、パイロット信号ＰＬの検出レベルを基にしてＡＧＣアンプ１Ｒ，１Ｇ，１Ｂのゲインを精度よく一致させることができる。
【００３３】
なお、図２の例では、ゲイン制御信号ＧＣによって電圧Ｖpltの大きさが制御される。これは、ＡＧＣアンプ１Ｒ，１Ｇ，１Ｂのゲインが変化しても、ＡＧＣアンプ１Ｒ，１Ｇ，１Ｂの出力信号のパイロット信号ＰＬに対応した部分のレベル（基準電圧Ｖrefに対応した部分を基準とする）がほぼ一定となるようにし、ＤＣシフト回路２２Ｒ，２２Ｂやコンパレータ２３Ｒ，２３Ｂ，２６Ｒ，２６Ｂ等の処理回路のダイナミックレンジ内に入れるためである。
【００３４】
上述実施例では、３板式カラービデオカメラの信号処理系のＡＧＣアンプに適用したものであるが、この発明は複数チャネルの信号系にゲイン可変アンプがそれぞれ設けられており、それぞれのゲイン可変アンプのゲインが一致した状態でゲイン可変を行うものに同様に適用できることは勿論である。
【００３５】
【発明の効果】
請求項１の発明によれば、３以上の複数チャネルのゲイン可変アンプの入力側にそれぞれ等しいレベルのパイロット信号が入力され、この複数のゲイン可変アンプの出力側でそれぞれ検出される複数のパイロット信号のレベルが等しくなるように複数チャネルの信号系のうちのいずれか一つのチャネル信号系を基準として複数のゲイン可変アンプのゲインが制御されるため、複数チャネルのゲイン可変アンプのゲインは自動的に等しくされる。したがって、アンプ毎にゲイン制御信号を補正してゲインのばらつきをキャンセルする必要がなく、補正回路のハードの負担が大きくなるということを回避できる。また、アンプ毎にゲイン制御信号を補正する必要がなく、各アンプを通じて１つのゲイン制御信号を使用でき、単一チャネルのゲイン可変アンプの使用と同じ条件で複数チャネルのゲイン可変アンプを取り扱うことができる。
【００３６】
また、複数チャネルのゲイン可変アンプのゲインが制御されて自動的に等しくされるため、ゲイン可変アンプをＩＣ化する際に特に厳しい動作を要求する回路が不要となり、ＩＣ化が容易となる。また、ゲインのマッチングのために、ＩＣの歩留まりが落ちるということも回避できる。また、複数チャネルのゲイン可変アンプのゲインが等しいということを維持しながら、そのゲインを連続的に可変できるため、例えばコンスーマーカラービデオカメラのＡＧＣアンプとして良好に使用できる。
【図面の簡単な説明】
【図１】この発明に係るアンプ装置の実施例の原理構成を示す図である。
【図２】この発明に係るアンプ装置の実施例の具体的構成を示す図である。
【図３】パイロット信号関係のパルスを示す図である。
【図４】３板式カラービデオカメラの信号処理系を示す図である。
【符号の説明】
１Ｒ，１Ｇ，１Ｂ  ＡＧＣアンプ
２Ｒ，２Ｇ，２Ｂ  ホワイトバランスコントロールアンプ
５  レベル検出回路
１１Ｒ，１１Ｇ，１１Ｂ，２１  切換スイッチ
１３Ｒ，１３Ｂ，２３Ｒ，２３Ｂ，２６Ｒ，２６Ｂ  コンパレータ
２２Ｒ，２２Ｂ  ＤＣ（直流）シフト回路
２４Ｒ，２４Ｂ，２７Ｒ，２７Ｂ  接続スイッチ
２５Ｒ，２５Ｂ，２８Ｒ，２８Ｂ  電圧保持用のコンデンサ
２９Ｒ，２９Ｂ  バッファ
【図１】
0003810818.tif 000002
【図２】
0003810818.tif 000003
【図３】
0003810818.tif 000004
【図４】
0003810818.tif 000005